(57)【特許請求の範囲】
【請求項１】
端末デバイスがネットワークデバイスにより送信されたＮ個のグループのランダムアクセス関連情報を受信することと、
前記端末デバイスが前記Ｎ個のグループのランダムアクセス関連情報に応じて、前記ネットワークデバイスにランダムアクセスプリアンブルを送信することとを含み、
前記Ｎ個のグループのランダムアクセス関連情報は、前記ネットワークデバイスによってネットワーク構成及び最適化ポリシーにより確定されたものであり、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎであり、
１番目のグループのランダムアクセス関連情報がプリアンブル情報１及びリソース指示情報１を含み、ｊ番目のグループのランダムアクセス関連情報がオフセット情報ｊを含み、前記オフセット情報ｊは、前記端末デバイスが前記オフセット情報ｊに応じてプリアンブル情報ｊ及びリソース指示情報ｊを確定するために用いられ、ｊ＝２，・・・Ｎであり、
前記プリアンブル情報１が、ランダムアクセスプリアンブルセット１を確定するためのパラメータを示すために用いられ、前記リソース指示情報１が、前記ランダムアクセスプリアンブルセット１に対応する時間周波数リソースを示すために用いられ、前記プリアンブル情報ｊが、ランダムアクセスプリアンブルセットｊを確定するためのパラメータを示すために用いられ、前記リソース指示情報ｊが、前記ランダムアクセスプリアンブルセットｊに対応する時間周波数リソースを示すために用いられ、
前記オフセット情報ｊは、ｊ番目のグループのランダムアクセス関連情報内のプリアンブル情報ｊ及びリソース指示情報ｊが１番目のグループのランダムアクセス関連情報内のプリアンブル情報１及びリソース指示情報１に対するオフセット値であり、又は、上記のオフセット情報ｊは、ｊ番目のグループのランダムアクセス関連情報内のプリアンブル情報ｊ及びリソース指示情報ｊがｊ−１番目のグループのランダムアクセス関連情報内のプリアンブル情報ｊ−１及びリソース指示情報ｊ−１に対するオフセット値である
ことを特徴とするランダムアクセスのための方法。
【請求項２】
前記端末デバイスが前記Ｎ個のグループのランダムアクセス関連情報に応じて前記ネットワークデバイスにランダムアクセスプリアンブルを送信することは、
前記端末デバイスが前記Ｎ個のグループのランダムアクセス関連情報のうちのＫ個のグループのランダムアクセス関連情報に応じて、Ｋ個のランダムアクセスプリアンブルセットを確定することと、
前記端末デバイスが前記Ｋ個のランダムアクセスプリアンブルセットに応じて、Ｋ個のランダムアクセスプリアンブルを確定することと、
前記端末デバイスが前記Ｋ個のグループのランダムアクセス関連情報に応じて、前記Ｋ個のランダムアクセスプリアンブルに対応する時間周波数リソースを確定することと、
前記端末デバイスが前記Ｋ個のランダムアクセスプリアンブルに対応する時間周波数リソースにおいて前記ネットワークデバイスに前記Ｋ個のランダムアクセスプリアンブルを送信することとを含み、
Ｋが２の以上の正の整数であり、前記Ｋ個のランダムアクセスプリアンブルの属するランダムアクセスプリアンブルセットが互いに異なり、前記Ｋ個のランダムアクセスプリアンブルのうちの少なくとも２つのランダムアクセスプリアンブルに対応する送信ビームが異なる
ことを特徴とする請求項１に記載のランダムアクセスのための方法。
【請求項３】
オフセット情報ｊは、ルートシーケンス番号オフセット情報、周波数領域リソースオフセット情報及び時間領域リソースオフセット情報のうちの少なくとも１つを含む
ことを特徴とする請求項１に記載のランダムアクセスのための方法。
【請求項４】
前記端末デバイスが予め設定された時間窓の開始時刻から、Ｔ個のランダムアクセスプリアンブル内の各ランダムアクセスプリアンブルに対応するランダムアクセス無線ネットワーク一時識別子ＲＡ−ＲＮＴＩに応じてランダムアクセス応答を検出することと、
前記端末デバイスが、検出された有効ランダムアクセス応答に応じて、前記Ｔ個のランダムアクセスプリアンブルのうちの前記ネットワークデバイスに正確受信されたランダムアクセスプリアンブルに対応する送信ビームを確定することとをさらに含み、
前記Ｔ個のランダムアクセスプリアンブルは、現在の検出時刻の前に前記端末デバイスが前記ネットワークデバイスに送信したランダムアクセスプリアンブルであり、ＴがＫの以下の正の整数である
ことを特徴とする請求項１〜３のいずれか１項に記載のランダムアクセスのための方法。
【請求項５】
前記端末デバイスが前記予め設定された時間窓の終了時刻の前に所定数の有効ランダムアクセス応答を検出した場合、前記端末デバイスが検出を停止することをさらに含む
ことを特徴とする請求項４に記載のランダムアクセスのための方法。
【請求項６】
前記端末デバイスが前記予め設定された時間窓の終了時刻に検出を停止することと、
前記端末デバイスが前記予め設定された時間窓において有効ランダムアクセス応答を検出しない場合、前記端末デバイスが前記Ｎ個のグループのランダムアクセス関連情報に応じて、前記ネットワークデバイスにランダムアクセスプリアンブルを再送することとをさらに含む
ことを特徴とする請求項４に記載のランダムアクセスのための方法。
【請求項７】
前記端末デバイスが、前記ネットワークデバイスに正確受信されたランダムアクセスプリアンブルに対応する送信ビームに応じて、前記ネットワークデバイスと情報伝送を行うことをさらに含む
ことを特徴とする請求項４〜６のいずれか１項に記載のランダムアクセスのための方法。
【請求項８】
ネットワークデバイスが、ネットワーク構成及び最適化ポリシーに応じて、Ｎ個のグループのランダムアクセス関連情報を確定することと、
前記ネットワークデバイスが、端末デバイスに前記Ｎ個のグループのランダムアクセス関連情報を送信することと、
前記ネットワークデバイスは、前記端末デバイスが前記Ｎ個のグループのランダムアクセス関連情報に応じて送信したランダムアクセスプリアンブルを受信することとを含み、
ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎであり、
１番目のグループのランダムアクセス関連情報がプリアンブル情報１及びリソース指示情報１を含み、ｊ番目のグループのランダムアクセス関連情報がオフセット情報ｊを含み、前記オフセット情報ｊは、前記端末デバイスが前記オフセット情報ｊに応じてプリアンブル情報ｊ及びリソース指示情報ｊを確定するために用いられ、ｊ＝２，・・・Ｎであり、
前記プリアンブル情報１が、ランダムアクセスプリアンブルセット１を確定するためのパラメータを示すために用いられ、前記リソース指示情報１が、前記ランダムアクセスプリアンブルセット１に対応する時間周波数リソースを示すために用いられ、前記プリアンブル情報ｊが、ランダムアクセスプリアンブルセットｊを確定するためのパラメータを示すために用いられ、前記リソース指示情報ｊが、前記ランダムアクセスプリアンブルセットｊに対応する時間周波数リソースを示すために用いられ、
前記オフセット情報ｊは、ｊ番目のグループのランダムアクセス関連情報内のプリアンブル情報ｊ及びリソース指示情報ｊが１番目のグループのランダムアクセス関連情報内のプリアンブル情報１及びリソース指示情報１に対するオフセット値であり、又は、上記のオフセット情報ｊは、ｊ番目のグループのランダムアクセス関連情報内のプリアンブル情報ｊ及びリソース指示情報ｊがｊ−１番目のグループのランダムアクセス関連情報内のプリアンブル情報ｊ−１及びリソース指示情報ｊ−１に対するオフセット値である
ことを特徴とするランダムアクセスのための方法。
【請求項９】
前記ネットワークデバイスは、前記端末デバイスが前記Ｎ個のグループのランダムアクセス関連情報に応じて送信したランダムアクセスプリアンブルを受信することは、
前記ネットワークデバイスは、前記端末デバイスがＫ個のランダムアクセスプリアンブルに対応する時間周波数リソースにおいて送信した前記Ｋ個のランダムアクセスプリアンブルを受信することをさらに含み、
前記Ｋ個のランダムアクセスプリアンブルのうちの少なくとも２つのランダムアクセスプリアンブルに対応する送信ビームが異なり、
前記Ｋ個のランダムアクセスプリアンブルは、前記端末デバイスがＫ個のランダムアクセスプリアンブルセットに応じて確定したものであり、前記Ｋ個のランダムアクセスプリアンブルの属するランダムアクセスプリアンブルセットが互いに異なり、前記Ｋ個のランダムアクセスプリアンブルセット及び前記Ｋ個のランダムアクセスプリアンブルに対応する時間周波数リソースは、前記端末デバイスが前記Ｎ個のグループのランダムアクセス関連情報内のＫ個のグループのランダムアクセス関連情報に応じて確定したものであり、Ｋが２の以上の正の整数である
ことを特徴とする請求項８に記載のランダムアクセスのための方法。
【請求項１０】
プロセッサと、
前記プロセッサで実行される命令を記憶するメモリとを含み、
前記プロセッサは、請求項１〜７のいずれか１項に記載のランダムアクセスのための方法を実行するように構成される
ことを特徴とする端末デバイス。
【請求項１１】
プロセッサと、
前記プロセッサで実行される命令を記憶するメモリとを含み、
前記プロセッサは、請求項８又は９に記載のランダムアクセスのための方法を実行するように構成される
ことを特徴とするネットワークデバイス。
【発明の詳細な説明】
【技術分野】
【０００１】
本願の実施例は、通信分野に関し、具体的に、ランダムアクセスのための方法及びデバイスに関する。
【背景技術】
【０００２】
ロングタームエボリューション（ＬＴＥ：Ｌｏｎｇ  Ｔｅｒｍ  Ｅｖｏｌｕｔｉｏｎ）システムのランダムアクセスプロセスにおいて、ユーザ装置（ＵＥ：Ｕｓｅｒ  Ｅｑｕｉｐｍｅｎｔ）がネットワークのランダムアクセスパラメータに応じて、対応する時間周波数位置において対応するプリアンブル（Ｐｒｅａｍｂｌｅ）が送信してから、ネットワークからの応答を待つ。ＵＥは、所定の時間窓において自身に対応するランダムアクセス応答（ＲＡＲ：Ｒａｎｄｏｍ  Ａｃｃｅｓｓ  Ｒｅｓｐｏｎｓｅ）を検出した場合、ランダムアクセスプロセスの次の手順に進み、自身に対応するＲＡＲを検出しない場合、所定のシーケンス及び方法に応じてＰｒｅａｍｂｌｅを再送する。
【０００３】
未来の通信システムは、ＬＴＥシステムが１つのビーム（Ｂｅａｍ）を使用して１つのセルへのカバーを実現することと異なり、通常、複数のＢｅａｍで時間上のスウィープ（Ｓｗｅｅｐｉｎｇ）により１つのセルへのカバーを実現し、このような通信システムを「複数ビーム（ｍｕｌｔｉ−ｂｅａｍ）システム」という。ｍｕｌｔｉ−ｂｅａｍシステムにおいて、ＵＥが異なるＢｅａｍを利用して情報の送受信を行う可能性がある。そして、ｍｕｌｔｉ−ｂｅａｍシステムに適用されるランダムアクセス方法を提供する必要がある。
【発明の概要】
【０００４】
本願は複数のビームの通信システムに応用されることができるランダムアクセスのための方法及びデバイスを提供する。
【０００５】
第１形態は、ランダムアクセスのための方法を提供し、端末デバイスがネットワークデバイスにより送信されたＮ個のグループのランダムアクセス関連情報を受信することと、前記端末デバイスが前記Ｎ個のグループのランダムアクセス関連情報に応じて、前記ネットワークデバイスにランダムアクセスプリアンブルを送信することとを含み、前記Ｎ個のグループのランダムアクセス関連情報は、前記ネットワークデバイスがネットワーク構成及び最適化ポリシーにより確定されたものであり、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎである。
【０００６】
本願のランダムアクセスのための方法によって、端末デバイスは、ネットワークデバイスにより送信されたネットワーク構成及び最適化ポリシーによって確定されたランダムアクセス関連情報を受信し、受信されたランダムアクセス関連情報に応じてネットワークデバイスにランダムアクセスプリアンブルを送信することで、複数のビームの通信システムに応用されることができる。
【０００７】
第１形態と結合し、第１形態のある実現方式において、前記端末デバイスが前記Ｎ個のグループのランダムアクセス関連情報に応じて前記ネットワークデバイスにランダムアクセスプリアンブルを送信することは、前記端末デバイスが前記Ｎ個のグループのランダムアクセス関連情報のうちのＫ個のグループのランダムアクセス関連情報に応じて、Ｋ個のランダムアクセスプリアンブルセットを確定することと、前記端末デバイスが前記Ｋ個のランダムアクセスプリアンブルセットに応じて、Ｋ個のランダムアクセスプリアンブルを確定することと、前記端末デバイスが前記Ｋ個のグループのランダムアクセス関連情報に応じて、前記Ｋ個のランダムアクセスプリアンブルに対応する時間周波数リソースを確定することと、前記端末デバイスが前記Ｋ個のランダムアクセスプリアンブルに対応する時間周波数リソースにおいて前記ネットワークデバイスに前記Ｋ個のランダムアクセスプリアンブルを送信することとを含み、Ｋが２の以上の正の整数であり、前記Ｋ個のランダムアクセスプリアンブルの属するランダムアクセスプリアンブルセットが互いに異なり、前記Ｋ個のランダムアクセスプリアンブルのうちの少なくとも２つのランダムアクセスプリアンブルに対応する送信ビームが異なる。
【０００８】
これによって、端末デバイスは、異なるビームを利用してネットワークデバイスに複数のランダムアクセスプリアンブルを送信し、ネットワークデバイスにより送信された複数のランダムアクセスプリアンブルに対するランダムアクセス応答に応じてネットワークデバイスに正確受信されたランダムアクセスプリアンブルを確定することができ、さらに、ネットワークデバイスと通信するためのビームを確定し、端末デバイスが異なるビームを利用して盲目的に送信することを減少させ、ランダムアクセスプロセスの遅延を低減させることができる。
【０００９】
第１形態及び上記の実現方式と結合し、第１形態の他の実現方式において、ｉ番目のグループのランダムアクセス関連情報がプリアンブル情報ｉ及びリソース指示情報ｉを含み、前記プリアンブル情報ｉが、ランダムアクセスプリアンブルセットｉを確定するためのパラメータを示すために用いられ、前記リソース指示情報ｉが、前記ランダムアクセスプリアンブルセットｉに対応する時間周波数リソースを示すために用いられる。
【００１０】
第１形態及び上記の実現方式と結合し、第１形態の他の実現方式において、１番目のグループのランダムアクセス関連情報がプリアンブル情報１及びリソース指示情報１を含み、ｊ番目のグループのランダムアクセス関連情報がオフセット情報ｊを含み、前記オフセット情報ｊは、前記端末デバイスが前記オフセット情報ｊに応じてプリアンブル情報ｊ及びリソース指示情報ｊを確定するために用いられ、ｊ＝２，・・・Ｎであり、
前記プリアンブル情報１が、ランダムアクセスプリアンブルセット１を確定するためのパラメータを示すために用いられ、前記リソース指示情報１が、前記ランダムアクセスプリアンブルセット１に対応する時間周波数リソースを示すために用いられ、前記プリアンブル情報ｊが、ランダムアクセスプリアンブルセットｊを確定するためのパラメータを示すために用いられ、前記リソース指示情報ｊが、前記ランダムアクセスプリアンブルセットｊに対応する時間周波数リソースを示すために用いられる。
【００１１】
第１形態及び上記の実現方式と結合し、第１形態の他の実現方式において、オフセット情報ｊは、ルートシーケンス番号オフセット情報、周波数領域リソースオフセット情報及び時間領域リソースオフセット情報のうちの少なくとも１つを含む。
【００１２】
第１形態及び上記の実現方式と結合し、第１形態の他の実現方式において、前記方法は、前記端末デバイスが予め設定された時間窓の開始時刻から、Ｔ個のランダムアクセスプリアンブル内の各ランダムアクセスプリアンブルに対応するランダムアクセス無線ネットワーク一時識別子ＲＡ−ＲＮＴＩに応じてランダムアクセス応答を検出することと、前記端末デバイスが、検出された有効ランダムアクセス応答に応じて、前記Ｔ個のランダムアクセスプリアンブルのうちの前記ネットワークデバイスに正確受信されたランダムアクセスプリアンブルに対応する送信ビームを確定することとをさらに含み、前記Ｔ個のランダムアクセスプリアンブルは、現在の検出時刻の前に前記端末デバイスが前記ネットワークデバイスに送信したランダムアクセスプリアンブルであり、ＴがＫの以下の正の整数である。
【００１３】
第１形態及び上記の実現方式と結合し、第１形態の他の実現方式において、前記方法は、前記端末デバイスが前記予め設定された時間窓の終了時刻の前に所定数の有効ランダムアクセス応答を検出した場合、前記端末デバイスが検出を停止することをさらに含む。
【００１４】
第１形態及び上記の実現方式と結合し、第１形態の他の実現方式において、前記方法は、前記端末デバイスが前記予め設定された時間窓の終了時刻に検出を停止することと、前記端末デバイスが前記予め設定された時間窓において有効ランダムアクセス応答を検出しない場合、前記端末デバイスが前記Ｎ個のグループのランダムアクセス関連情報に応じて、前記ネットワークデバイスにランダムアクセスプリアンブルを再送することとをさらに含む。
【００１５】
第１形態及び上記の実現方式と結合し、第１形態の他の実現方式において、前記方法は、前記端末デバイスが前記ネットワークデバイスに正確受信されたランダムアクセスプリアンブルに対応する送信ビームに応じて、前記ネットワークデバイスと情報伝送を行うことをさらに含む。
【００１６】
第２形態は、ランダムアクセスのための方法を提供し、ネットワークデバイスが、ネットワーク構成及び最適化ポリシーに応じて、Ｎ個のグループのランダムアクセス関連情報を確定することと、前記ネットワークデバイスが、端末デバイスに前記Ｎ個のグループのランダムアクセス関連情報を送信することと、前記ネットワークデバイスは、前記端末デバイスが前記Ｎ個のグループのランダムアクセス関連情報に応じて送信したランダムアクセスプリアンブルを受信することとを含み、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎである。
【００１７】
本願のランダムアクセスのための方法によって、ネットワークデバイスがネットワーク構成及び最適化ポリシーに応じて端末デバイスにランダムアクセス関連情報を送信して、端末デバイスが受信されたランダムアクセス関連情報に応じてネットワークデバイスにランダムアクセスプリアンブルを送信することで、複数のビームの通信システムに応用されることができる。
【００１８】
第２形態と結合し、第２形態のある実現方式において、前記ネットワークデバイスは、前記端末デバイスが前記Ｎ個のグループのランダムアクセス関連情報に応じて送信したランダムアクセスプリアンブルを受信することは、前記ネットワークデバイスは、前記端末デバイスがＫ個のランダムアクセスプリアンブルに対応する時間周波数リソースにおいて送信した前記Ｋ個のランダムアクセスプリアンブルを受信することをさらに含み、前記Ｋ個のランダムアクセスプリアンブルのうちの少なくとも２つのランダムアクセスプリアンブルに対応する送信ビームが異なり、前記Ｋ個のランダムアクセスプリアンブルは、前記端末デバイスがＫ個のランダムアクセスプリアンブルセットに応じて確定したものであり、前記Ｋ個のランダムアクセスプリアンブルの属するランダムアクセスプリアンブルセットが互いに異なり、前記Ｋ個のランダムアクセスプリアンブルセット及び前記Ｋ個のランダムアクセスプリアンブルに対応する時間周波数リソースは、前記端末デバイスが前記Ｎ個のグループのランダムアクセス関連情報内のＫ個のグループのランダムアクセス関連情報に応じて確定したものであり、Ｋが２の以上の正の整数である。
【００１９】
第２形態及び上記の実現方式と結合し、第２形態の他の実現方式において、ｉ番目のランダムアクセス関連情報ｉがプリアンブル情報ｉ及びリソース指示情報ｉを含み、前記プリアンブル情報ｉが、ランダムアクセスプリアンブルセットｉを確定するためのパラメータを示すために用いられ、前記リソース指示情報ｉが、前記ランダムアクセスプリアンブルセットｉに対応する時間周波数リソースを示すために用いられる。
【００２０】
第２形態及び上記の実現方式と結合し、第２形態の他の実現方式において、１番目のグループのランダムアクセス関連情報がプリアンブル情報１及びリソース指示情報１を含み、ｊ番目のグループのランダムアクセス関連情報がオフセット情報ｊを含み、前記オフセット情報ｊは、前記端末デバイスが前記オフセット情報ｊに応じてプリアンブル情報ｊ及びリソース指示情報ｊを確定するために用いられ、ｊ＝２，・・・Ｎであり、
前記プリアンブル情報１が、ランダムアクセスプリアンブルセット１を確定するためのパラメータを示すために用いられ、前記リソース指示情報１が、前記ランダムアクセスプリアンブルセット１に対応する時間周波数リソースを示すために用いられ、前記プリアンブル情報ｊが、ランダムアクセスプリアンブルセットｊを確定するためのパラメータを示すために用いられ、前記リソース指示情報ｊが、前記ランダムアクセスプリアンブルセットｊに対応する時間周波数リソースを示すために用いられる。
【００２１】
第２形態及び上記の実現方式と結合し、第２形態の他の実現方式において、オフセット情報ｊは、ルートシーケンス番号オフセット情報、周波数領域リソースオフセット情報及び時間領域リソースオフセット情報のうちの少なくとも１つを含む。
【００２２】
第２形態及び上記の実現方式と結合し、第２形態の他の実現方式において、前記方法は、前記ネットワークデバイスが予め設定された時間窓において前記端末デバイスに前記Ｋ個のランダムアクセスプリアンブルのうちの正確受信されたランダムアクセスプリアンブルに対するランダムアクセス応答を送信することをさらに含む。
【００２３】
第２形態及び上記の実現方式と結合し、第２形態の他の実現方式において、前記方法は、前記ネットワークデバイスが正確受信されたランダムアクセスプリアンブルに対応する送信ビームに応じて、前記端末デバイスと情報伝送を行うことをさらに含む。
【００２４】
第３形態は、上記の第１形態又は第１形態のいかなる可能な実現方式の方法を実行するための端末デバイスを提供する。具体的に、前記端末デバイスは、上記の第１形態又は第１形態のいかなる可能な実現方式の方法を実行するための機能モジュールを含む。
【００２５】
第４形態は、上記の第２形態又は第２形態のいかなる可能な実現方式の方法を実行するためのネットワークデバイスを提供する。具体的に、前記ネットワークデバイスは、上記の第２形態又は第２形態のいかなる可能な実現方式の方法を実行するための機能モジュールを含む。
【００２６】
第５形態は、プロセッサ、メモリ及び送受信機を含む端末デバイスを提供する。前記プロセッサと前記メモリと前記送受信機の間は、内部接続通路を介して互いに通信し、制御及び／又はデータ信号を伝送することで、前記端末デバイスが上記の第１形態又は第１形態のいかなる可能な実現方式の方法を実行する。
【００２７】
第６形態は、プロセッサ、メモリ及び送受信機を含むネットワークデバイスを提供する。前記プロセッサと前記メモリと前記送受信機の間は、内部接続通路を介して互いに通信し、制御及び／又はデータ信号を伝送することで、前記ネットワークデバイスが上記の第２形態又は第２形態のいかなる可能な実現方式の方法を実行する。
【００２８】
第７形態は、コンピュータ可読媒体を提供し、前記コンピュータ可読媒体にはコンピュータプログラムが記憶され、前記コンピュータプログラムが上記の第１形態又は第１形態のいかなる可能な実現方式の方法を実行するための命令を含む。
【００２９】
第８形態は、コンピュータ可読媒体を提供し、前記コンピュータ可読媒体にはコンピュータプログラムが記憶され、前記コンピュータプログラムが上記の第２形態又は第２形態のいかなる可能な実現方式の方法を実行するための命令を含む。
【図面の簡単な説明】
【００３０】
【図１】本願の実施例におけるランダムアクセスのための方法のフローチャートである。
【図２】本願の実施例におけるランダムアクセスのための方法の他のフローチャートである。
【図３】本願の実施例におけるランダムアクセスのための方法の他の模式図である。
【図４】本願の他の実施例におけるランダムアクセスのための方法のフローチャートである。
【図５】本願の他の実施例におけるランダムアクセスのための方法の他の模式図である。
【図６】本願の実施例における端末デバイスのブロック図である。
【図７】本願の実施例におけるネットワークデバイスのブロック図である。
【図８】本願の他の実施例における端末デバイスのブロック図である。
【図９】本願の他の実施例におけるネットワークデバイスのブロック図である。
【発明を実施するための形態】
【００３１】
以下、本願の実施例の図面に基づいて、本願の実施例係る技術案を詳しく説明する。
【００３２】
なお、本発明の実施例における技術的解決策は様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａ１  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、アドバンスト長期進化型（ＬＴＥ−Ａ：Ａｄｖａｎｃｅｄ  ｌｏｎｇ  ｔｅｒｍ  ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワイマックス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ Ａｃｃｅｓｓ）通信システム、５Ｇシステム、ＮＲ（Ｎｅｗ  Ｒａｄｉｏ  Ａｃｃｅｓｓ  Ｔｅｃｈｎｏｌｏｇｙ）システムに応用されることができる。
【００３３】
本発明の実施例において、端末デバイスが、移動台（ＭＳ：Ｍｏｂｉｌｅ  Ｓｔａｔｉｏｎ）、移動端末（Ｍｏｂｉｌｅ  Ｔｅｒｍｉｎａｌ）、モバイル電話（Ｍｏｂｉｌｅ  Ｔｅｌｅｐｈｏｎｅ）、ユーザー装置（ＵＥ：Ｕｓｅｒ Ｅｑｕｉｐｍｅｎｔ）、ハンドセット（ｈａｎｄｓｅｔ）及び携帯機器（ｐｏｒｔａｂｌｅ  ｅｑｕｉｐｍｅｎｔ）を含むが、これらに限定しなく、当該端末デバイスは、無線アクセスネットワーク（ＲＡＮ：Ｒａｄｉｏ  Ａｃｃｅｓｓ  Ｎｅｔｗｏｒｋ）を介して１つ以上のコアネットワークと通信することができ、例えば、端末は移動電話（「セルラ」電話とも言われる）、移動端末を備えるコンピューターであっても良いし、携帯型、ポケット型、ハンドヘルド型、コンピュータ内蔵又は車載の移動装置であってもよい。
【００３４】
本願の実施例に係るネットワークデバイスは、無線アクセスネットワークに配置され、端末デバイスに通信機能を提供するための装置である。前記ネットワークデバイスが基地局であってもよく、前記基地局が、各種のマクロ基地局、マイクロ基地局、中継局、アクセスポイント等を含む。異なる無線アクセス技術を使用するシステムにおいて、基地局の機能を備えるデバイスの名称が異なる可能性がある。例えば、ＬＴＥネットワークにおいて、進化型のノードＢ（ｅＮＢ又はｅＮｏｄｅＢ：Ｅｖｏｌｕｔｉｏｎａｌ  ＮｏｄｅＢ）と言い、第３世帯（３Ｇ：３ｒｄ  Ｇｅｎｅｒａｔｉｏｎ）ネットワークにおいて、ノードＢ（Ｎｏｄｅ  Ｂ）と言う。
【００３５】
なお、本願の実施例におけるランダムアクセスプリアンブルは、「プリアンブル（Ｐｒｅａｍｂｌｅ）」又は「ランダムアクセスプリアンブルコード」又は「ランダムアクセスプリアンブル符号系列」とも言われる。
【００３６】
図１は本願の実施例におけるランダムアクセス方法のための方法を示す。図１に示すように、方法１００は、Ｓ１１０及びＳ１２０を含む。
【００３７】
Ｓ１１０において、端末デバイスがネットワークデバイスにより送信されたＮ個のグループのランダムアクセス関連情報を受信し、ここで、前記Ｎ個のグループのランダムアクセス関連情報は、前記ネットワークデバイスがネットワーク構成及び最適化ポリシーにより確定されたものであり、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎである。
【００３８】
Ｓ１２０において、前記端末デバイスが前記Ｎ個のグループのランダムアクセス関連情報に応じて、前記ネットワークデバイスにランダムアクセスプリアンブルを送信する。
【００３９】
本願の実施例において、ネットワークデバイスは、ネットワーク構成及び最適化ポリシーに応じて、端末デバイスに送信する必要があるランダムアクセス関連情報のグループ数がＮであると確定し、Ｎ個のグループのランダムアクセス関連情報を生成してから、端末デバイスにこれらのＮ個のグループのランダムアクセス関連情報を送信する。
【００４０】
例えば、ネットワークデバイスは、ネットワーク構成及び最適化ポリシーに応じて、ランダムアクセスプロセスが多くのシステムリソースを占用することを受けることができると確定した場合、端末デバイスに２つのグループ以上のランダムアクセス関連情報を送信する。一方、ネットワークデバイスは、ランダムアクセスプロセスが多くのシステムリソースを占用することを望まない場合、端末デバイスに１つのグループのランダムアクセス関連情報を送信すればよい。又は、ネットワークデバイスは、ネットワーク構成及び最適化ポリシーに応じて、ランダムアクセスプロセスの待ち時間が予め設定された待ち時間の未満とする必要があると確定した場合、端末デバイスに複数のグループのランダムアクセス関連情報を送信して、ランダムアクセスプロセスの待ち時間を低減させる。一方、ネットワークデバイスは、端末デバイスに１つのグループのランダムアクセス関連情報を送信してもよい。
【００４１】
本願の実施例において、選択可能で、端末デバイスがネットワークデバイスからのブロードキャストメッセージを受信し、ブロードキャストメッセージには上記のＮ個のグループのランダムアクセス関連情報が含まれ、又は、端末デバイスがネットワークデバイスからのシステムメッセージを受信し、システムメッセージには上記のＮ個のグループのランダムアクセス関連情報が含まれ、又は、端末デバイスがネットワークデバイスからの専用シグナリングを受信し、専用シグナリングには上記のＮ個のグループのランダムアクセス関連情報が含まれる。
【００４２】
なお、１つのランダムアクセスプリアンブルセットには複数のランダムアクセスプリアンブルが含まれる。Ｎ個のランダムアクセスプリアンブルセットが複数のグループに分け、各グループ内のランダムアクセスプリアンブルセットが多種のプリアンブルに分けてよい。又は、Ｎ個のランダムアクセスプリアンブルセットが多種のプリアンブルに分け、各種のプリアンブルに含まれるランダムアクセスプリアンブルセットが、複数のグループに分けてよい。
【００４３】
例えば、メッセージに６個のグループのランダムアクセス関連情報が含まれるように構成し、端末デバイスは、これらの６個のグループのランダムアクセス関連情報に応じて、６個のランダムアクセスプリアンブルセットを確定する。これらの６個のランダムアクセスプリアンブルセットは、対応するメッセージ（Ｍｓｇ）３の大きさの違いによって、３個のグループに分け、ここで、ランダムアクセスプリアンブルセット１とランダムアクセスプリアンブルセット３がグループ１に属し、ランダムアクセスプリアンブルセット２とランダムアクセスプリアンブルセット４がグループ２に属し、ランダムアクセスプリアンブルセット５とランダムアクセスプリアンブル６がグループ３に属する。グループ１内のランダムアクセスプリアンブルセットが、対応する経路ロスの大きさに応じて２つのタイプのプリアンブルに分け、ランダムアクセスプリアンブルセット１がＡタイプのプリアンブルに属し、ランダムアクセスプリアンブルセット２がＢタイプのプリアンブルに属する。グループ２内のランダムアクセスプリアンブルセットが、対応する経路ロスの大きさに応じて２つのタイプのプリアンブルに分け、ランダムアクセスプリアンブルセット３がＢタイプのプリアンブルに属し、ランダムアクセスプリアンブルセット４のランダムアクセスプリアンブルがＡタイプのプリアンブルに属する。グループ３内のランダムアクセスプリアンブルセットが、対応する経路ロスの大きさに応じて２つのタイプのプリアンブルに分け、ランダムアクセスプリアンブルセット５がＢタイプのプリアンブルに属し、ランダムアクセスプリアンブルセット６がＡタイプのプリアンブルに属する。
【００４４】
これによって、端末デバイスが２つのビーム（Ｂｅａｍ）でネットワークデバイスにランダムアクセスプリアンブルを送信することができると仮想し、送信必要があるＭｓｇ３の大きさに応じて、ネットワークデバイスにグループ１及びグループ２内のランダムアクセスプリアンブルを送信する必要がると確定し、さらに、経路ロスの大きさに応じて、Ａタイプのプリアンブルを送信する必要があると確定する。これによって、端末デバイスは、ランダムアクセスプリアンブルセット１から１つのランダムアクセスプリアンブルを選択し、ランダムアクセスプリアンブルセット４から１つのランダムアクセスプリアンブルを選択してから、選定したこれらの２つのランダムアクセスプリアンブルを異なるＢｅａｍでネットワークデバイスを送信する。
【００４５】
又は、メッセージに６個のグループのランダムアクセス関連情報が含まれるように構成し、端末デバイスは、これらの６個のグループのランダムアクセス関連情報に応じて、６個のランダムアクセスプリアンブルセットを確定する。これらの６個のランダムアクセスプリアンブルセットが、対応するＭｓｇ３の大きさの違いによって２つのタイプのプリアンブルに分け、ここで、ランダムアクセスプリアンブルセット１、ランダムアクセスプリアンブルセット３及びランダムアクセスプリアンブルセット５がＡタイプのプリアンブルに属し、ランダムアクセスプリアンブルセット２、ランダムアクセスプリアンブルセット４及びランダムアクセスプリアンブルセット６がＢタイプのプリアンブルに属する。Ａタイプのプリアンブルに含まれるランダムアクセスプリアンブルセットが、対応する経路ロスの大きさに応じて２つのグループに分け、ランダムアクセスプリアンブルセット１とランダムアクセスプリアンブルセット３がグループ１に属し、ランダムアクセスプリアンブルセット５がグループ２に属し、Ｂタイプのプリアンブルに含まれるランダムアクセスプリアンブルセットが、対応する経路ロスの大きさに応じて２つのグループに分け、ランダムアクセスプリアンブルセット２がグループ１に属し、ランダムアクセスプリアンブル４とランダムアクセスプリアンブル６がグループ２に属する。
【００４６】
これによって、端末デバイスが２つのＢｅａｍでネットワークデバイスにランダムアクセスプリアンブルを送信することができると仮想し、送信が必要であるＭｓｇ３の大きさに応じて、ネットワークデバイスにＡタイプのプリアンブルを送信する必要があると確定し、さらに、経路ロスの大きさに応じて、グループ１内のランダムアクセスプリアンブルを送信する必要があると確定する。これによって、端末デバイスは、ランダムアクセスプリアンブルセット１及びランダムアクセスプリアンブルセット３から、１つのランダムアクセスプリアンブルをそれぞれ選択してから、選定したこれらの２つのランダムアクセスプリアンブルを異なるＢｅａｍでネットワークデバイスに送信する。
【００４７】
又は、端末デバイスは、ランダムアクセスを行う過程において、自身又は他の情報に応じて、上記のＮ個のグループのランダムアクセス関連情報からＫ個のグループのランダムアクセス関連情報を選定し、Ｋが２の以上の正の整数であり、Ｋ個のグループのランダムアクセス関連情報に応じて、Ｋ個のランダムアクセスプリアンブルセットを確定し、前記Ｋ個のランダムアクセスプリアンブルセットの各ランダムアクセスプリアンブルセットから１つのランダムアクセスプリアンブルを選択する。端末デバイスは、上記のＫ個のグループのランダムアクセス関連情報に応じて、上記のＫ個のランダムアクセスプリアンブルを送信する時間周波数リソースを確定し、確定した時間周波数リソースにおいてネットワークデバイスに前記Ｋ個のランダムアクセスプリアンブルを送信し、さらに、Ｋ個のランダムアクセスプリアンブルのうちの少なくとも２つのランダムアクセスプリアンブルに対応する送信ビームが相違する。
【００４８】
例えば、端末デバイスは、４つのグループのランダムアクセス関連情報に応じて、４つのランダムアクセスプリアンブル、即ちランダムアクセスプリアンブル１〜ランダムアクセスプリアンブル４を確定し。しかし、アンテナ数の制限又はデバイス実現方法／ポリシーの制限により、端末デバイスは、２つのＢｅａｍ（Ｂｅａｍ１及びＢｅａｍ２）のみでネットワークデバイスにランダムアクセスプリアンブルを送信する。この場合、端末デバイスは、先にＢｅａｍ１でランダムアクセスプリアンブル１を、Ｂｅａｍ２でランダムアクセスプリアンブル２を送信してから、次に、Ｂｅａｍ１でランダムアクセスプリアンブル３を、Ｂｅａｍ２でランダムアクセスプリアンブル４を送信する。端末デバイスは、４つのＢｅａｍでネットワークデバイスにランダムアクセスプリアンブルを一回に送信することができる場合、Ｂｅａｍ１〜Ｂｅａｍ４でランダムアクセスプリアンブル１〜ランダムアクセスプリアンブル４をそれぞれ送信する。
【００４９】
上記の実施例において、選択可能で、各グループのランダムアクセス関連情報にはプリアンブル情報及びリソース指示情報が含まれ、プリアンブル情報は、ランダムアクセスプリアンブルセットを確定するためのパラメータを示すために用いられ、リソース指示情報は、ランダムアクセスプリアンブルに対応する時間周波数リソースを示すために用いられる。
【００５０】
又は、１番目のグループのランダムアクセス関連情報がプリアンブル情報１及びリソース指示情報１を含み、ｊ番目のグループのランダムアクセス関連情報にオフセット情報ｊが含まれ、オフセット情報ｊは、端末デバイスがオフセット情報ｊに応じてプリアンブル情報ｊ及びリソース指示情報ｊを確定するために用いられ、ｊ＝２，・・・Ｎである。
【００５１】
選択可能で、１つの例として、上記のオフセット情報ｊは、ｊ番目のグループのランダムアクセス関連情報内のあるパラメータが１番目のグループのランダムアクセス関連情報内のこれらのパラメータに対するオフセット値であり、又は、上記のオフセット情報ｊは、ｊ番目のグループのランダムアクセス関連情報内のあるパラメータがｊ−１番目のグループのランダムアクセス関連情報内のこれらのパラメータに対するオフセット値である。
【００５２】
本願の実施例において、選択可能で、上記のオフセット情報は、ルートシーケンス番号オフセット情報、周波数領域リソースオフセット情報及び時間領域リソースオフセット情報のうちの少なくとも１つを含む。
【００５３】
なお、上記の実施例の１番目のグループのランダムアクセス関連情報又は上記のｊ−１番目のグループのランダムアクセス関連情報は、「参照グループのランダムアクセス関連情報」とも言い、参照グループのランダムアクセス関連情報内のある情報の対応値にオフセット情報に対応する値を加算して通信システムの所定の最大値を超える場合、モジュロ（ｍｏｄ）演算を行って、両者の加算の和がシステムの所定の範囲にあるように保証する。
【００５４】
例えば、参照グループのランダムアクセス関連情報に対応する時間領域リソースがサブフレーム１にあり、オフセット情報６に対応する値が９であると仮想し、１と９との和が１０であり、通信システム内のサブフレーム番号の最大値が９（０から番号を付ける）であるため、ｍｏｄ演算を行い、１０ｍｏｄ１０＝０である。そして、６番目のランダムアクセス関連情報に対応する時間領域リソースがサブフレーム０にあると認めてもよい。
【００５５】
本願の実施例において、選択可能で、図２に示すように、方法１００は、さらに、Ｓ１３０及びＳ１４０を含む。
【００５６】
Ｓ１３０において、前記端末デバイスが予め設定された時間窓の開始時刻から、Ｔ個のランダムアクセスプリアンブル内の各ランダムアクセスプリアンブルに対応するランダムアクセス無線ネットワーク一時識別子ＲＡ−ＲＮＴＩに応じて、ランダムアクセス応答を検出し、ここで、前記Ｔ個のランダムアクセスプリアンブルは、現在の検出時刻の前に前記端末デバイスが前記ネットワークデバイスに送信したランダムアクセスプリアンブルであり、ＴがＫの以下の正の整数である。
【００５７】
Ｓ１４０において、前記端末デバイスが、検出された有効ランダムアクセス応答に応じて、前記Ｔ個のランダムアクセスプリアンブルのうちの前記ネットワークデバイスに正確受信されたランダムアクセスプリアンブルに対応する送信ビームを確定する。
【００５８】
なお、各ランダムアクセスプリアンブルが１つのランダムアクセス無線ネットワーク一時識別子（ＲＡ−ＲＮＴＩ：Ｒａｎｄｏｍ  Ａｃｃｅｓｓ  Ｒａｄｉｏ  Ｎｅｔｗｏｒｋ  Ｔｅｍｐｏｒｙ  Ｉｄｅｎｔｉｔｙ）に対応し、端末デバイスが所定の時間窓においてＴ個のＲＡ−ＲＮＴＩに応じてネットワークデバイスからのランダムアクセス応答（ＲＡＲ：Ｒａｎｄｏｍ  Ａｃｃｅｓｓ  Ｒｅｓｐｏｎｓｅ）を検出し、端末デバイスがＲＡＲ内の上記のＴ個のＲＡ−ＲＮＴＩに対応するＲＡＲを有効ランダムアクセス応答として検出する。
【００５９】
図３に示すように、端末デバイスは、一回目のランダムアクセスプリアンブルを送信した後、所定の時間窓においてＲＡＲの検出を行い、検出期間にランダムアクセスプリアンブルを継続して送信してもよい。さらに、端末デバイスは、Ｔ個のＲＡ−ＲＮＴＩ内のいずれかのＲＡ−ＲＮＴＩに対応する有効ＲＡＲを検出した場合に検出を停止し、又は、所定の時間窓が終了まで継続して検出する。
【００６０】
さらに、端末デバイスは、予め設定された時間窓において有効ランダムアクセス応答を検出しない場合、所定の時間の後にネットワークデバイスにランダムアクセスプリアンブルを再送する。
【００６１】
上記の実施例において、端末デバイスは、受信した有効ランダムアクセス応答に応じて、ネットワークデバイスに正確受信されたランダムアクセスプリアンブルを確定し、さらに、ネットワークデバイスに正確受信されたこれらのランダムアクセスプリアンブルを送信するためのＢｅａｍを確定し、これらのＢｅａｍによってネットワークデバイスと情報伝送を行うことができる。例えば、これらのＢｅａｍでネットワークデバイスにＭｓｇ３及びアップリンクデータを送信する。
【００６２】
つまり、本願の実施例において、端末デバイスは、ネットワークデバイスにより構成されたランダムアクセス関連情報に応じて、ネットワークデバイスに送信する複数のランダムアクセスプリアンブルを確定することができる。そして、異なるＢｅａｍでネットワークデバイスにこの複数のランダムアクセスプリアンブルを送信し、ネットワークデバイスからのＲＡＲを検出する。検出した有効ＲＡＲに応じて、どのようなランダムアクセスプリアンブルがネットワークデバイスに正確受信されるかを把握し、さらに、ネットワークデバイスに正確受信されたこれらのランダムアクセスプリアンブルに対応する送信Ｂｅａｍを確定し、そして、これらのＢｅａｍでネットワークデバイスと通信する。本願の方法は、端末デバイスがランダムアクセスプロセスにおいて対応するアップリンク送信Ｂｅａｍ（ＵＬ  Ｔｘ  Ｂｅａｍ）を確定し、端末デバイスが異なるＢｅａｍを利用して盲目に送信することを減少させ、アクセスの待ち時間を低減させる。
【００６３】
上記の実施例において、端末デバイスは、システムブロードキャストメッセージ（ＳＩＢ２）から前記所定の時間窓を把握することができる。
【００６４】
以上、図１〜図３を参照し、端末デバイス側から本願の実施例におけるランダムアクセスのための方法を詳しく説明し、以下、図４〜図５を参照し、ネットワークデバイス側から本願の実施例におけるランダムアクセスのための方法を詳しく説明する。なお、ネットワークデバイス側に記載されるネットワークデバイスと端末デバイスとの遣り取りが端末デバイス側と同じ、重複を回避するために、説明を適当に省略する。
【００６５】
図４は本願の他の実施例におけるランダムアクセスのための方法を示し、図４に示すように、方法２００は、Ｓ２１０〜Ｓ２３０を含む。
【００６６】
Ｓ２１０において、ネットワークデバイスが、ネットワーク構成及び最適化ポリシーに応じて、Ｎ個のグループのランダムアクセス関連情報を確定し、ここで、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎである。
【００６７】
Ｓ２２０において、前記ネットワークデバイスが、端末デバイスに前記Ｎ個のグループのランダムアクセス関連情報を送信する。
【００６８】
Ｓ２３０において、前記ネットワークデバイスは、前記端末デバイスが前記Ｎ個のグループのランダムアクセス関連情報に応じて送信したランダムアクセスプリアンブルを受信する。
【００６９】
そして、本願の実施例におけるランダムアクセスのための方法によって、ネットワークデバイスがネットワーク構成及び最適化ポリシーに応じて端末デバイスにランダムアクセス関連情報を送信して、端末デバイスが受信されたランダムアクセス関連情報に応じてネットワークデバイスにランダムアクセスプリアンブルを送信することで、複数のビームの通信システムに応用されることができる。
【００７０】
本願の実施例において、選択可能で、Ｓ２２０において、前記ネットワークデバイスは、前記端末デバイスがＫ個のランダムアクセスプリアンブルに対応する時間周波数リソースにおいて送信した前記Ｋ個のランダムアクセスプリアンブルを受信することをさらに含み、前記Ｋ個のランダムアクセスプリアンブルのうちの少なくとも２つのランダムアクセスプリアンブルに対応する送信ビームが異なり、
ここで、前記Ｋ個のランダムアクセスプリアンブルは、前記端末デバイスがＫ個のランダムアクセスプリアンブルセットに応じて確定したものであり、前記Ｋ個のランダムアクセスプリアンブルの属するランダムアクセスプリアンブルセットが互いに異なり、前記Ｋ個のランダムアクセスプリアンブルセット及び前記Ｋ個のランダムアクセスプリアンブルに対応する時間周波数リソースは、前記端末デバイスが前記Ｎ個のグループのランダムアクセス関連情報内のＫ個のグループのランダムアクセス関連情報に応じて確定したものであり、Ｋが２の以上の正の整数である。
【００７１】
本願の実施例において、選択可能で、ｉ番目のランダムアクセス関連情報ｉがプリアンブル情報ｉ及びリソース指示情報ｉを含み、前記プリアンブル情報ｉが、ランダムアクセスプリアンブルセットｉを確定するためのパラメータを示すために用いられ、前記リソース指示情報ｉが、前記ランダムアクセスプリアンブルセットｉに対応する時間周波数リソースを示すために用いられる。
【００７２】
本願の実施例において、選択可能で、１番目のグループのランダムアクセス関連情報がプリアンブル情報１及びリソース指示情報１を含み、ｊ番目のグループのランダムアクセス関連情報がオフセット情報ｊを含み、前記オフセット情報ｊは、前記端末デバイスが前記オフセット情報ｊに応じてプリアンブル情報ｊ及びリソース指示情報ｊを確定するために用いられ、ｊ＝２，・・・Ｎであり、
ここで、前記プリアンブル情報１が、ランダムアクセスプリアンブルセット１を確定するためのパラメータを示すために用いられ、前記リソース指示情報１が、前記ランダムアクセスプリアンブルセット１に対応する時間周波数リソースを示すために用いられ、前記プリアンブル情報ｊが、ランダムアクセスプリアンブルセットｊを確定するためのパラメータを示すために用いられ、前記リソース指示情報ｊが、前記ランダムアクセスプリアンブルセットｊに対応する時間周波数リソースを示すために用いられる。
【００７３】
本願の実施例において、選択可能で、オフセット情報ｊは、ルートシーケンス番号オフセット情報、周波数領域リソースオフセット情報及び時間領域リソースオフセット情報のうちの少なくとも１つを含む。
【００７４】
本願の実施例において、選択可能で、図５に示すように、方法２００は、Ｓ２４０をさらに含む。
【００７５】
Ｓ２４０において、前記ネットワークデバイスが予め設定された時間窓において前記端末デバイスに前記Ｋ個のランダムアクセスプリアンブルのうちの正確受信されたランダムアクセスプリアンブルに対するランダムアクセス応答を送信する。
【００７６】
本願の実施例において、選択可能で、方法２００は、前記ネットワークデバイスが、正確受信されたランダムアクセスプリアンブルに対応する送信ビームに応じて、前記端末デバイスと情報伝送を行うことをさらに含む。
【００７７】
以上、図１〜図５を参照し、本願の実施例におけるランダムアクセスのための方法を説明しており、以下、図６を参照し、本願の実施例における端末デバイスを説明し、図６に示すように、端末デバイス１０は、受信モジュール１１及び送信モジュール１２を含む。
【００７８】
受信モジュール１１は、ネットワークデバイスにより送信されたＮ個のグループのランダムアクセス関連情報を受信するように構成され、ここで、前記Ｎ個のグループのランダムアクセス関連情報は、前記ネットワークデバイスがネットワーク構成及び最適化ポリシーにより確定されたものであり、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎである。
【００７９】
送信モジュール１２は、前記Ｎ個のグループのランダムアクセス関連情報に応じて、前記ネットワークデバイスにランダムアクセスプリアンブルを送信するように構成される。
【００８０】
そして、本願の実施例における端末デバイスは、ネットワークデバイスにより送信されたネットワーク構成及び最適化ポリシーによって確定されたランダムアクセス関連情報を受信し、受信されたランダムアクセス関連情報に応じてネットワークデバイスにランダムアクセスプリアンブルを送信することで、複数のビームの通信システムに応用されることができる。
【００８１】
本願の実施例において、選択可能で、前記送信モジュール１１は、具体的に、前記Ｎ個のグループのランダムアクセス関連情報のうちのＫ個のグループのランダムアクセス関連情報に応じて、Ｋ個のランダムアクセスプリアンブルセットを確定し、Ｋが２の以上の正の整数であり、
前記Ｋ個のランダムアクセスプリアンブルセットに応じて、Ｋ個のランダムアクセスプリアンブルを確定し、前記Ｋ個のランダムアクセスプリアンブルの属するランダムアクセスプリアンブルセットが互いに異なり、
前記Ｋ個のグループのランダムアクセス関連情報に応じて、前記Ｋ個のランダムアクセスプリアンブルに対応する時間周波数リソースを確定し、
前記Ｋ個のランダムアクセスプリアンブルに対応する時間周波数リソースにおいて前記ネットワークデバイスに前記Ｋ個のランダムアクセスプリアンブルを送信し、ここで、前記Ｋ個のランダムアクセスプリアンブルのうちの少なくとも２つのランダムアクセスプリアンブルに対応する送信ビームが異なる。
【００８２】
本願の実施例において、選択可能で、ｉ番目のグループのランダムアクセスプリアンブル関連情報がプリアンブル情報ｉ及びリソース指示情報ｉを含み、前記プリアンブル情報ｉが、ランダムアクセスプリアンブルセットｉを確定するためのパラメータを示すために用いられ、前記リソース指示情報ｉが、前記ランダムアクセスプリアンブルセットｉに対応する時間周波数リソースを示すために用いられる。
【００８３】
本願の実施例において、選択可能で、１番目のグループのランダムアクセスプリアンブル関連情報がプリアンブル情報１及びリソース指示情報１を含み、ｊ番目のグループのランダムアクセス関連情報がオフセット情報ｊを含み、前記オフセット情報ｊは、前記端末デバイスが前記オフセット情報ｊに応じてプリアンブル情報ｊ及びリソース指示情報ｊを確定するために用いられ、ｊ＝２，・・・Ｎであり、
ここで、前記プリアンブル情報１が、ランダムアクセスプリアンブルセット１を確定するためのパラメータを示すために用いられ、前記リソース指示情報１が、前記ランダムアクセスプリアンブルセット１に対応する時間周波数リソースを示すために用いられ、前記プリアンブル情報ｊが、ランダムアクセスプリアンブルセットｊを確定するためのパラメータを示すために用いられ、前記リソース指示情報ｊが、前記ランダムアクセスプリアンブルセットｊに対応する時間周波数リソースを示すために用いられる。
【００８４】
本願の実施例において、選択可能で、オフセット情報ｊは、ルートシーケンス番号オフセット情報、周波数領域リソースオフセット情報及び時間領域リソースオフセット情報のうちの少なくとも１つを含む。
【００８５】
本願の実施例において、選択可能で、受信モジュール１２は、さらに、予め設定された時間窓の開始時刻からＴ個のランダムアクセスプリアンブル内の各ランダムアクセスプリアンブルに対応するランダムアクセス無線ネットワーク一時識別子ＲＡ−ＲＮＴＩに応じて、ランダムアクセス応答を検出し、検出された有効ランダムアクセス応答に応じて、前記Ｔ個のランダムアクセスプリアンブルのうちの前記ネットワークデバイスに正確受信されたランダムアクセスプリアンブルに対応する送信ビームを確定するように構成され、前記Ｔ個のランダムアクセスプリアンブルは、現在の検出時刻の前に前記送信モジュールが前記ネットワークデバイスに送信したランダムアクセスプリアンブルであり、ＴがＫの以下の正の整数である。
【００８６】
本願の実施例において、選択可能で、前記受信モジュール１１は、さらに、前記予め設定された時間窓の終了時刻の前に所定数の有効ランダムアクセス応答を検出した場合、検出を停止するように構成される。
【００８７】
本願の実施例において、選択可能で、前記受信モジュール１１は、さらに、前記予め設定された時間窓の終了時刻に検出を停止するように構成される。
【００８８】
前記送信モジュール１２は、さらに、前記受信モジュール１１が前記予め設定された時間窓において有効ランダムアクセス応答を検出しない場合、前記Ｎ個のグループのランダムアクセス関連情報に応じて、前記ネットワークデバイスにランダムアクセスプリアンブルを再送するように構成される。
【００８９】
本願の実施例において、選択可能で、前記送信モジュール１２は、さらに、前記ネットワークデバイスに正確受信されたランダムアクセスプリアンブルに対応する送信ビームに応じて、前記ネットワークデバイスと情報伝送を行うように構成される。
【００９０】
本願の実施例における端末デバイスは、本願の実施例におけるランダムアクセスのための方法１００のプロセスを参照し、さらに、当該端末デバイス内の各ユニット／モジュールや上記の他の操作及び／又は機能が、方法１００内の対応するプロセスを実現するためのものであり、簡潔するために、ここで説明を省略する。
【００９１】
図７は本願の実施例におけるネットワークデバイスを示し、図７に示すように、ネットワークデバイス２０は、処理モジュール２１、送信モジュール２２及び受信モジュール２３を含む。
【００９２】
処理モジュール２１は、ネットワーク構成及び最適化ポリシーに応じてＮ個のグループのランダムアクセス関連情報を確定するように構成され、ここで、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎである。
【００９３】
送信モジュール２２は、端末デバイスに前記Ｎ個のグループのランダムアクセス関連情報を送信するように構成される。
【００９４】
受信モジュール２３は、前記端末デバイスが前記Ｎ個のグループのランダムアクセス関連情報に応じて送信したランダムアクセスプリアンブルを受信するように構成される。
【００９５】
そして、本願の実施例におけるネットワークデバイスは、ネットワーク構成及び最適化ポリシーに応じて端末デバイスにランダムアクセス関連情報を送信して、端末デバイスが受信されたランダムアクセス関連情報に応じてネットワークデバイスにランダムアクセスプリアンブルを送信することで、複数のビームの通信システムに応用されることができる。
【００９６】
本願の実施例において、選択可能で、前記受信モジュール２３は、具体的に、記端末デバイスがＫ個のランダムアクセスプリアンブルに対応する時間周波数リソースにおいて送信した前記Ｋ個のランダムアクセスプリアンブルを受信するように構成され、前記Ｋ個のランダムアクセスプリアンブルのうちの少なくとも２つのランダムアクセスプリアンブルに対応する送信ビームが互いに異なり、
ここで、前記Ｋ個のランダムアクセスプリアンブルは、前記端末デバイスがＫ個のランダムアクセスプリアンブルセットに応じて確定したものであり、前記Ｋ個のランダムアクセスプリアンブルの属するランダムアクセスプリアンブルセットが互いに異なり、前記Ｋ個のランダムアクセスプリアンブルセット及び前記Ｋ個のランダムアクセスプリアンブルに対応する時間周波数リソースは、前記端末デバイスが前記Ｎ個のグループのランダムアクセス関連情報内のＫ個のグループのランダムアクセス関連情報に応じて確定したものであり、Ｋが２の以上の正の整数である。
【００９７】
本願の実施例において、選択可能で、ｉ番目のランダムアクセス関連情報ｉがプリアンブル情報ｉ及びリソース指示情報ｉを含み、前記プリアンブル情報ｉが、ランダムアクセスプリアンブルセットｉを確定するためのパラメータを示すために用いられ、前記リソース指示情報ｉが、前記ランダムアクセスプリアンブルセットｉに対応する時間周波数リソースを示すために用いられる。
【００９８】
本願の実施例において、選択可能で、１番目のグループのランダムアクセス関連情報がプリアンブル情報１及びリソース指示情報１を含み、ｊ番目のグループのランダムアクセス関連情報がオフセット情報ｊを含み、前記オフセット情報ｊは、前記端末デバイスが前記オフセット情報ｊに応じてプリアンブル情報ｊ及びリソース指示情報ｊを確定するために用いられ、ｊ＝２，・・・Ｎであり、
ここで、前記プリアンブル情報１が、ランダムアクセスプリアンブルセット１を確定するためのパラメータを示すために用いられ、前記リソース指示情報１が、前記ランダムアクセスプリアンブルセット１に対応する時間周波数リソースを示すために用いられ、前記プリアンブル情報ｊが、ランダムアクセスプリアンブルセットｊを確定するためのパラメータを示すために用いられ、前記リソース指示情報ｊが、前記ランダムアクセスプリアンブルセットｊに対応する時間周波数リソースを示すために用いられる。
【００９９】
本願の実施例において、選択可能で、オフセット情報ｊは、ルートシーケンス番号オフセット情報、周波数領域リソースオフセット情報及び時間領域リソースオフセット情報のうちの少なくとも１つを含む。
【０１００】
本願の実施例において、選択可能で、前記送信モジュール２２は、さらに、予め設定された時間窓において前記端末デバイスに前記Ｋ個のランダムアクセスプリアンブルのうちの正確受信されたランダムアクセスプリアンブルに対するランダムアクセス応答を送信するように構成される。
【０１０１】
本願の実施例において、選択可能で、前記送信モジュール２２は、さらに、正確受信されたランダムアクセスプリアンブルに対応する送信ビームに応じて、前記端末デバイスと情報伝送を行うように構成される。
【０１０２】
本願の実施例におけるネットワークデバイスは、本願の実施例におけるランダムアクセスのための方法２００のプロセスに対応し、さらに、当該ネットワークデバイス内の各ユニット／モジュール、上記の他の操作及び／又は機能が、方法２００内の対応するプロセスを実現するためのものであり、簡潔するために、ここで説明を省略する。
【０１０３】
図８は本願の他の実施例における端末デバイスのブロック図を示す。図８に示すように、端末デバイス１００は、プロセッサ１１０及び送受信機１２０を含み、プロセッサ１１０が送受信機１２０に接続され、選択可能で、当該ネットワークデバイス１００は、さらに、メモリ１３０を含み、メモリ１３０がプロセッサ１１０に接続される。ここで、プロセッサ１１０、メモリ１３０及び送受信機１２０は、内部接続通路を介して互いに通信する。ここで、送受信機１２０は、ネットワークデバイスにより送信されたＮ個のグループのランダムアクセス関連情報を受信し、前記Ｎ個のグループのランダムアクセス関連情報に応じて、前記ネットワークデバイスにランダムアクセスプリアンブルを送信するように構成され、ここで、前記Ｎ個のグループのランダムアクセス関連情報は、前記ネットワークデバイスがネットワーク構成及び最適化ポリシーにより確定されたものであり、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎである。
【０１０４】
そして、本願の実施例における端末デバイスは、ネットワークデバイスにより送信されたネットワーク構成及び最適化ポリシーによって確定されたランダムアクセス関連情報を受信し、受信されたランダムアクセス関連情報に応じてネットワークデバイスにランダムアクセスプリアンブルを送信することで、複数のビームの通信システムに応用されることができる。
【０１０５】
本願の実施例における端末デバイス１００は、本願の実施例におけるランダムアクセスのための方法１００のプロセスに対応し、さらに、当該端末デバイス内の各ユニット／モジュールや上記の他の操作及び／又は機能が、方法１００内の対応するプロセスを実現するためのものであり、簡潔するために、ここで説明を省略する。
【０１０６】
図９は本願の他の実施例におけるネットワークデバイスのブロック図を示し、図９に示すように、ネットワークデバイス２００は、プロセッサ２１０及び送受信機２２０を含み、プロセッサ２１０が送受信機２２０に接続され、選択可能で、前記端末デバイス２００は、さらにメモリ２３０を含み、メモリ２３０がプロセッサ２１０に接続される。ここで、プロセッサ２１０、メモリ２３０及び送受信機２２０は、内部接続通路を介して互いに通信する。ここで、前記プロセッサ２１０は、ネットワーク構成及び最適化ポリシーに応じてＮ個のグループのランダムアクセス関連情報を確定するように構成され、ここで、ｉ番目のグループのランダムアクセス関連情報は、前記端末デバイスがランダムアクセスプリアンブルセットｉ及び前記ランダムアクセスプリアンブルセットｉに対応する時間周波数リソースを確定するために用いられ、Ｎが１以上の正の整数であり、ｉ＝１,・・・Ｎであり、前記送受信機２２０は、端末デバイスに前記Ｎ個のグループのランダムアクセス関連情報を送信するように構成され、前記送受信機２２０は、さらに、前記端末デバイスが前記Ｎ個のグループのランダムアクセス関連情報に応じて送信したランダムアクセスプリアンブルを受信するように構成される。
【０１０７】
そして、本願の実施例におけるネットワークデバイスは、ネットワーク構成及び最適化ポリシーに応じて端末デバイスにランダムアクセス関連情報を送信して、端末デバイスが受信されたランダムアクセス関連情報に応じてネットワークデバイスにランダムアクセスプリアンブルを送信することで、複数のビームの通信システムに応用されることができる。
【０１０８】
本願の実施例におけるネットワークデバイス２００は、本願の実施例におけるランダムアクセスのための方法２００のプロセスを参照し、さらに、当該ネットワークデバイス内の各ユニット／モジュールや上記の他の操作及び／又は機能が、方法２００内の対応するプロセスを実現するためのものであり、簡潔するために、ここで説明を省略する。
【０１０９】
なお、本願の実施例において、プロセッサは中央処理装置（ＣＰＵ：Ｃｅｎｔｒａｌ  Ｐｒｏｃｅｓｓｉｎｇ  Ｕｎｉｔ）、他の汎用プロセッサ、デジタル信号プロセッサ（ＤＳＰ）、特定用途向け集積回路（ＡＳＩＣ）、フィールドプログラマブルゲートアレイ（ＦＰＧＡ）、他のプログラマブルロジック素子、離散ゲート又はトランジスタロジック素子、離散ハードウェアコンポーネント等であってもよい。汎用プロセッサは、マイクロプロセッサ、いかなる通常のプロセッサ等であってもよい。
【０１１０】
メモリは、読取専用メモリ及びランダムアクセスメモリを含み、プロセッサに命令及びデータを提供する。メモリは、不揮発性ランダムアクセスメモリをさらに含む。例えば、メモリは、デバイスタイプの情報をさらに含む。
【０１１１】
実現プロセスにおいて、上記の方法の各ステップは、プロセッサのハードウェアの集積論理回路又はソフトウェア形態の命令によって実現することができる。本願の実施例を参照して開示される方法のステップは、ハードウェアプロセッサによって実行してもよいし、プロセッサ内のハードウェアとソフトウェアモジュールグループとの組合せによって実行してもよい。ソフトウェアモジュールは、ランダムメモリ、フラッシュメモリ、読取専用メモリ、プログラム可能な読取専用メモリ又は電気的消去／プログラマブル可能なメモリ、レジスター等の記憶媒体に存在してもよい。当該記憶媒体がメモリに存在し、プロセッサがメモリの情報を読み取り、そのハードウェアで上記の方法のステップを行う。重複を回避するために、ここで説明を省略する。
【０１１２】
本願に開示されている実施例に説明されている各例示的なユニット及びアルゴリズムのステップを結合し、電子ハードウェア、又はコンピュータソフトウェアと電子ハードウェアの結合を用いて実現することができることを、当業者であれば理解できる。これらの機能がハードウェアの形式かあるいはソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１１３】
当業者は、上記のシステム、装置及びユニットの具体的な動作過程が、上記の方法の実施例に対する過程を参照されると理解され、ここで説明を省略する。
【０１１４】
本発明に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１１５】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１１６】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１１７】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【図１】
0006911120.tif 000002
【図２】
0006911120.tif 000003
【図３】
0006911120.tif 000004
【図４】
0006911120.tif 000005
【図５】
0006911120.tif 000006
【図６】
0006911120.tif 000007
【図７】
0006911120.tif 000008
【図８】
0006911120.tif 000009
【図９】
0006911120.tif 000010